(57)【要約】【課題】誤動作の少ないスマートキーシステムの構築がむずかしいという課題があった。たとえば、スマートキーから放射される電波がかばん等で減衰した場合、ドアに近づいてもドアが開錠しない。また逆に、スマートキーを減衰の少ない胸ポケットに入れていた場合、数十ｍ先からドアが開錠されることが考えられ、セキュリティ上問題であった。【解決手段】送信機１１からの電波を受信する第一のアンテナ１と、送信機１１からの電波を受信する第二のアンテナ２と、第一のアンテナ１の受信レベルと第二のアンテナ２の受信レベルを比較する受信レベル比較手段５と、受信レベル比較手段５の情報に基づきドアの施錠或いは開錠を判定する判定手段６とで構成する。【選択図】図１
2006219925.tif 000002
【特許請求の範囲】
【請求項１】
送信機からの電波を受信する第一のアンテナと、前記第一のアンテナと所定の距離離れて前記送信機からの電波を受信する第二のアンテナと、前記第一のアンテナの受信レベルと前記第二のアンテナの受信レベルを比較する受信レベル比較手段と、前記受信レベル比較手段の情報に基づきドアの施錠或いは開錠を判定する判定手段とで構成された錠制御装置。
【請求項２】
送信機からの電波を受信した後、前記受信した受信レベルを無線送信する第一のアンテナと、前記第一のアンテナと所定の距離離れて前記送信機からの電波及び前記第一のアンテナから無線送信される電波を受信する第二のアンテナと、前記第一のアンテナから無線送信された情報に含まれる前記第一のアンテナで受信した前記送信機からの受信レベルと、前記第二のアンテナで受信した前記送信機からの電波の受信レベルを比較する受信レベル比較手段と、前記受信レベル比較手段の情報に基づきドアの施錠或いは開錠を判定する判定手段とで構成された錠制御装置。
【請求項３】
送信機と、請求項１記載の鍵制御装置と、前記鍵制御装置からの信号でドアの施錠／開錠を行うアクチュエータで構成された錠制御システム。
【請求項４】
送信機と、請求項２記載の鍵制御装置と、前記鍵制御装置からの信号でドアの施錠／開錠を行うアクチュエータで構成された錠制御システム。
【請求項５】
送信機は、識別コードを含む信号を定期的に送信する構成とした請求項３または請求項４記載の錠制御システム。
【請求項６】
錠制御装置は送信手段を有し、送信機は受信手段を有し、前記錠制御装置の送信手段からの信号を前記送信機の受信手段で受信した時に識別コードを含む信号を送信する構成とした請求項３記載または請求項４記載の錠制御システム。
【請求項７】
受信レベル比較手段は、第一のアンテナの受信レベルと第二のアンテナの受信レベルの受信レベル比を検出すると共に、前記第一または第二のアンテナの受信レベルの絶対値を検出するように構成され、判定手段は、前記受信レベル検出手段からの第一のアンテナの受信レベルと第二のアンテナの受信レベルの受信レベル比情報と、前記第一または第二のアンテナの受信レベルの絶対値情報の二つの情報に基づきドアの施錠或いは開錠を判定する構成とした請求項１または請求項２記載の錠制御装置。
【請求項８】
判定手段は、第一のアンテナの受信レベルと第二のアンテナの受信レベルの受信レベル比が第一の所定範囲内であり、かつ前記第一または第二のアンテナの受信レベルの絶対値が第二の所定値以上であることをドアの開錠を許可する条件の一つと判定する構成とした請求項７記載の錠制御装置。
【請求項９】
判定手段は、第一のアンテナの受信レベルと第二のアンテナの受信レベルの受信レベル比情報、或いは前記第一または第二のアンテナの受信レベルの絶対値情報に基づき第一の所定範囲、或いは第二の所定値の値を切り替えるように構成した請求項８記載の錠制御装置。
【請求項１０】
請求項１、２、７〜９のいずれか１項記載の錠制御装置の機能の少なくとも一部をコンピュータに実現させるためのプログラム。
【発明の詳細な説明】
【技術分野】
【０００１】
本発明は、ドアの施錠、開錠を無線通信を用いた電子照合で行う錠制御装置、錠制御システム及びプログラムに関するものである。
【背景技術】
【０００２】
近年、ピッキングや錠のこじ開けなどのセキュリティ対策として鍵穴を有しない電子錠システムが普及してきている。さらに進んでスマートキーと呼ばれる識別コードを送信する送信機を所有する人がドアに近づくだけでドアの開錠電子錠システムが普及してきている。
【０００３】
このような電子錠システムにおいて、スマートキーを所有する人がドアの内側にいるのか、或いは外側にいるのか、またドアの近くにいるのかを識別し、ドアの開錠、施錠を制御することがセキュリティを高める上で重要である。この点を考慮した先行技術としては特許文献１に開示された技術があり、以下にその概略を説明する。
【０００４】
図６には、従来の形態に係る住宅用ドア自動開閉システム１５０の概略構成が示されている。この図に示されるように、住宅用ドア１６には、屋外側に露出する屋外アンテナ部１５２と、屋内側に露出する屋内アンテナ部１５４とが配設されている。屋外アンテナ部１５２の内部には、図示しないが、送信回路及び送信アンテナ並びに受信回路及び受信アンテナが配設されている。同様に、屋内アンテナ部１５４の内部には、図示しないが、送信回路及び送信アンテナ並びに受信回路及び受信アンテナが配設されている。
【０００５】
これらの屋外アンテナ部１５２及び屋内アンテナ部１５４はスマートキー制御部１４と接続されており、スマートキー制御部１４が作動している間、常時、スマートキー１５６に対して固有の識別情報の発信を要求するリクエスト情報（信号）が、送信アンテナから間欠的に発信されるようになっている。
【０００６】
なお、図６の二点鎖線Ａ１は屋外アンテナ部１５２の送信アンテナから発信されたリクエスト情報の到達領域（到達圏）を表しており、二点鎖線Ａ２は屋内アンテナ部１５４の送信アンテナから発信されたリクエスト情報の到達領域（到達圏）を表している。
【０００７】
一方、「電子キー」としてのスマートキー１５６には、キーアンテナ部１５８が設けられている。キーアンテナ部１５８の内部には、図示しないが、送信回路及び送信アンテナ並びに受信回路及び受信アンテナが配設されている。スマートキー１５６では、受信アンテナによってリクエスト情報が受信されると、送信アンテナから固有の識別情報が発信されるようになっている。
【０００８】
上記構成の住宅用ドア自動開閉システム１５０によれば、スマートキー制御部１４が作動している間、常時、屋外アンテナ部１５２の送信アンテナ並びに屋内アンテナ部１５４の送信アンテナから各々リクエスト情報が間欠的に発信されているため、スマートキー１５６の使用者が玄関ドア１６に近づき、リクエスト情報の到達領域（到達圏）Ａ１内に入ると、当該スマートキー１５６のキーアンテナ部１５８の受信アンテナによって受信される。このため、スマートキー１５６の送信アンテナから固有の識別情報が発信され、屋外アンテナ部１５２の受信アンテナによって受信される。固有の識別情報が受信されると、スマートキー制御部１４によって当該固有の識別情報と予め記憶された登録情報とが照合される。
【０００９】
その結果、認証された場合には、ドア開放制御部２６によって電動サムターン１８のロックが解除（解錠）され、続いてラッチ部２０のラッチが解除される。これにより、玄関ドア１６は開放可能な状態となる。そこで、次にドア開放機構部２４が作動され、玄関ドア１６が所定開度開放される。なお、玄関ドア１６が開放動作を行うのに伴ってドアクローザ２２に閉止方向への付勢力が蓄積される。
【００１０】
上記の玄関ドア１６の開放状態は、スマートキー制御部１４によって識別情報と登録情報との一致が認証されている間、即ちリクエスト情報の到達領域Ａ１及びＡ２内においてスマートキー１５６とスマートキー制御部１４との間で行われる双方向通信により識別情報と登録情報との一致が認証されている間、維持される。
【００１１】
従って、使用者はその間にスムーズに玄関ドア１６の内側に入ることができる。そして、使用者が玄関ドア１６の内側に入ってリクエスト情報の到達領域Ａ２から出ていくと、屋内アンテナ部１５４の送信アンテナから発信されたリクエスト情報がスマートキー１５６のキーアンテナ部１５８の受信アンテナに受信されなくなり（届かなくなり）、その結果としてスマートキー１５６の送信機から固有の識別情報も発信されなくなるので、その時点でドア開放制御部２６によってドア開放機構部２４による玄関ドア１６の開放状態が解除され、ドアクローザ２２に蓄積された付勢力によって玄関ドア１６は閉止される。そして、玄関ドア１６が閉止されたら、電動サムターン１８が再び施錠状態とされる。
【特許文献１】特開２００３−７４２５６号公報
【発明の開示】
【発明が解決しようとする課題】
【００１２】
しかしながら、前記従来の構成では、人がドアの外側にいるのか、ドアの内側にいるのかの識別は可能であるが、例えば人が外にいる場合にドアからどの程度離れているのかを識別することは困難であった。
【００１３】
そして到達領域Ａ２を狭くすると、スマートキーをかばんの奥底に入れていた場合など、スマートキーから放射される電波がかばん等で減衰して屋外アンテナ１５２で受信できない場合が出てくる。そのためドアに近づいてもドアが開錠しないという課題があった。
【００１４】
また逆に到達領域Ａ２を広くすると、スマートキーを減衰の少ない胸ポケットに入れていた場合、数十ｍ先からドアが開錠されることが考えられ、セキュリティ上問題であるという課題があった。
【００１５】
本発明は、前記従来の課題を解決するもので、スマートキーをどのような状態で所有していても、所有者がドアから数ｍ以内に近づいたときのみドアの開錠が行われる錠制御装置、錠制御システム及びそのプログラムを提供することを目的とする。
【課題を解決するための手段】
【００１６】
送信機からの電波を受信する第一のアンテナと、前記第一のアンテナと所定の距離離れて前記送信機からの電波を受信する第二のアンテナと、前記第一のアンテナの受信レベルと前記第二のアンテナの受信レベルを比較する受信レベル比較手段と、前記受信レベル比較手段の情報に基づきドアの施錠或いは開錠を判定する判定手段とで構成されたものである。
【００１７】
これによって、ドアとスマートキーである送信機を所有している人との位置関係を把握でき、ドアの開錠及び施錠を行うことができるので、スマートキーをどのような状態で所有していても、所有者がドアから数ｍ以内に近づいたときのみドアの開錠が行われることとなる。
【発明の効果】
【００１８】
本発明の錠制御装置、錠制御システム及びプログラムを用いることにより、利便性とセキュリティの向上の両立を図ることができる。
【発明を実施するための最良の形態】
【００１９】
第１の発明は、送信機からの電波を受信する第一のアンテナと、前記第一のアンテナと所定の距離離れて前記送信機からの電波を受信する第二のアンテナと、前記第一のアンテナの受信レベルと前記第二のアンテナの受信レベルを比較する受信レベル比較手段と、前記受信レベル比較手段の情報に基づきドアの施錠或いは開錠を判定する判定手段とで構成したことにより、ドアとスマートキーである送信機を所有している人との位置関係を把握でき、ドアの開錠及び施錠を行うことができる。
【００２０】
第２の発明は、送信機からの電波を受信した後、前記受信した受信レベルを無線送信する第一のアンテナと、前記第一のアンテナと所定の距離離れて前記送信機からの電波及び前記第一のアンテナから無線送信される電波を受信する第二のアンテナと、前記第一のアンテナから無線送信された情報に含まれる前記第一のアンテナで受信した前記送信機からの受信レベルと、前記第二のアンテナで受信した前記送信機からの電波の受信レベルを比較する受信レベル比較手段と、前記受信レベル比較手段の情報に基づきドアの施錠或いは開錠を判定する判定手段とで構成されたことにより、ドアとスマートキーである送信機を所有している人との位置関係をより正確に把握でき、ドアの開錠及び施錠を行うことができる。
【００２１】
第３の発明は、送信機と、第１の発明による鍵制御装置と、前記鍵制御装置からの信号でドアの施錠／開錠を行うアクチュエータで構成されたことにより、ドアとスマートキーである送信機を所有している人との位置関係を把握でき、ドアの開錠及び施錠を行うことができる。
【００２２】
第４の発明は、送信機と、第２の発明による鍵制御装置と、前記鍵制御装置からの信号でドアの施錠／開錠を行うアクチュエータで構成されたことにより、ドアとスマートキーである送信機を所有している人との位置関係をより正確に把握でき、ドアの開錠及び施錠を行うことができる。
【００２３】
第５の発明は、送信機は、識別コードを含む信号を定期的に送信する構成としたものであり、スマートキーである送信機側に受信機を必要としないシステムを構築できる。
【００２４】
第６の発明は、錠制御装置は送信手段を有し、送信機は受信手段を有し、前記錠制御装置の送信手段からの信号を前記送信機の受信手段で受信した時に識別コードを含む信号を送信する構成とした送信機であることにより、送信機側から定期的に送信する必要がなく、送信機側の消費電力を抑えることのできるシステムを構築できる。
【００２５】
第７の発明は、受信レベル比較手段は、第一のアンテナの受信レベルと第二のアンテナの受信レベルの受信レベル比を検出すると共に、前記第一または第二のアンテナの受信レベルの絶対値を検出するように構成され、判定手段は、前記受信レベル検出手段からの第一のアンテナの受信レベルと第二のアンテナの受信レベルの受信レベル比情報と、前記第一または第二のアンテナの受信レベルの絶対値情報の二つの情報に基づきドアの施錠或いは開錠を判定する構成としたことにより、ドアとスマートキーである送信機を所有している人との距離を計算することができ、所有者がドアに近づいたときにドアの開錠ができる。
【００２６】
第８の発明は、判定手段は、第一のアンテナの受信レベルと第二のアンテナの受信レベルの受信レベル比が第一の所定範囲内であり、かつ前記第一または第二のアンテナの受信レベルの絶対値が第二の所定値以上であることをドアの開錠を許可する条件の一つと判定する構成としたことにより、ドアとスマートキーである送信機を所有している人との距離を正確に計算することができ、所有者がドアに近づいたときにドアの開錠ができる。
【００２７】
第９の発明は、判定手段は、第一のアンテナの受信レベルと第二のアンテナの受信レベルの受信レベル比情報、或いは前記第一または第二のアンテナの受信レベルの絶対値情報に基づき第一の所定範囲、或いは第二の所定値の値を切り替えるように構成したことにより、スマートキーからの電波か、或いは意識的に人によってボタンを押すなどの操作により送信された電波かを識別し、これによりドア開錠の条件を変えることができる。
【００２８】
第１０の発明は、第１、２、７〜９のいずれかの発明において、錠制御装置の機能の少なくとも一部をコンピュータに実現させるためのプログラムとする。そして、プログラムであるので、電気・情報機器、コンピュータ、サーバー等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２９】
以下、本発明の実施の形態について、図面を参照しながら説明する。なお、この実施の形態によって本発明が限定されるものではない。
【００３０】
（実施の形態１）
図１は本発明の第１の実施の形態における錠制御装置或いは錠制御システムのブロック図を示すものである。
【００３１】
図１において、錠制御装置は第一のアンテナ１、第二のアンテナ２、第一の受信機３、第二の受信機４、受信レベル比較手段５、判定手段６で構成されている。そして錠制御システムは、前記１から６で構成される錠制御装置と、アクチュエータ７、錠９、送信機１１、送信機１１のアンテナ１０で構成されている。５はドアである。第一のアンテナ１は屋内に、第二のアンテナ２は屋外に設置されている。送信機１１及び送信機アンテナ１０がスマートキーである。
【００３２】
以下その動作について説明する。送信機１１からは定期的に識別コードを含む信号が送信機アンテナ１０を介して無線送信されている。そして前記送信機１１を所有する人が、ドア９に近づくと、第一のアンテナ１及び第二のアンテナ２で受信され、それぞれ受信された信号は第一の受信機３、第二の受信機４を介して受信レベル比較手段５に入力する。
【００３３】
ここで、第一の受信機３及び第二の受信機４は、送信機１１から送信された信号を受信したかどうかを判別するために、受信信号に含まれる識別コードを検出する識別コード検出手段（図示しない）を有している。そして送信機１１からの信号であると判別したときのみ受信レベル検出手段５に信号を出力する。
【００３４】
受信レベル比較手段５では、第一のアンテナ１で受信した受信レベルと、第二のアンテナで受信した受信レベルの絶対値と受信レベル比を測定する。
【００３５】
前記測定された絶対値と受信レベル比は、判定手段６に送られ、判定手段６においてアクチュエータ７を動作させるかどうかの判定を行う。
【００３６】
アクチュエータ７は、モータで構成され判定手段６からの信号でモータを回し、錠９の施錠或いは開錠を行う。
【００３７】
図４及び図５は、送信機１１と第一のアンテナ１及び第二のアンテナ２の間の距離と、第一のアンテナ１或いは第二のアンテナ２で受信する受信レベルとの関係を示す図である。
【００３８】
受信レベル比較手段５の動作について、図４及び図５を参照しながら説明する。
【００３９】
一般に受信レベルは、送信機と受信機の間の距離に反比例する。すなわち、送受信機間の距離が２倍になれば、受信レベルは１／２になる。
【００４０】
最初、送信機１１を所有する人が、ドア８から離れており、第二のアンテナ２と送信機１１の距離が５ｍであったとする。そして、第二のアンテナ２と第一のアンテナ１は約１ｍ離して設置されているとする。したがって第二のアンテナ２と送信機１１の距離は６ｍである。その時の送信機と各アンテナまでの距離と受信レベルの関係を図４に示す。
【００４１】
図４に示すように第二のアンテナ２の受信レベルは、送信機１１との距離が５ｍであるため、２０μＶというレベルを示している。そして第一のアンテナ１の受信レベルは、送信機１１との距離が６／５倍になるため、第二のアンテナ２の受信レベルの５／６倍である１７μＶを示す。二つのアンテナの受信レベル比は第二のアンテナ２を基準として５／６倍である。
【００４２】
一方、送信機１１を所有する人が、ドア８に近づき、第二のアンテナ２と送信機１１の距離が１ｍになったとする。そして、第二のアンテナ２と送信機１１の距離が１ｍになると、第一のアンテナ１と送信機１１の距離は２ｍになる。その時の送信機と各アンテナまでの距離と受信レベルの関係を図５に示す。
【００４３】
図５に示すように第二のアンテナ２の受信レベルは、送信機１１との距離が１ｍと非常に近いため、１００μＶという大きなレベルを示している。そして第一のアンテナ１の受信レベルは、送信機１１との距離が２ｍと２倍であるため、第二のアンテナ２の受信レベルの半分である５０μＶを示す。そして二つのアンテナの受信レベル比は第二のアンテナ２を基準として１／２倍である。
【００４４】
上記説明したごとく、送信機１１がドア８に近づくほど第二のアンテナ２と第一のアンテナ１との受信レベル比は小さくなる。
【００４５】
したがって、判定手段６において錠９の開錠条件を、受信レベル比が第一の所定範囲＝１／２以下であると設定すれば、送信機１１を所有した人がドアに１ｍ近づいたときに初めて錠９が開錠される。
【００４６】
このように受信レベル比をドア８と送信機１１との距離の判定に用いることにより、受信レベルの絶対値に左右されない。すなわち、送信機１１を胸ポケットに入れていた場合と、かばんに入れていた場合では、受信レベルの絶対値は変化するが、受信レベル比は変化しない。そのためどのような状態で送信機を保有していても正確にドア８から１ｍ近づいたときに錠９が開錠される。
【００４７】
なお、送信機１１とドア８との間の距離が大きくなると、それぞれのアンテナ１及びアンテナ２の受信レベルがマルチパスの影響を受けやすくなる。そのため、ドア８と送信機１１の距離が大きいにもかかわらず、第二のアンテナ２と第一のアンテナ１の受信レベル比が小さくなる場合がある。そのため、錠９を開錠してしまうということが考えられる。
【００４８】
そこで、第二のアンテナ２或いは第一のアンテナ１の受信レベルの絶対値を開錠の判定の要素に付け加えることが可能である。例えば第二のアンテナ２の受信レベルの絶対値が１ｍの距離に相当する１００μＶに若干の余裕を持たせるため、第二の所定値＝５０μＶ以上で、かつ受信レベル比が第一の所定範囲＝１／２以下のときのみ開錠する。これによりマルチパスによる誤作動を防止できる。
【００４９】
なお、本実施例において、第二のアンテナ２を基準として受信レベル比を計算したが、第一のアンテナ１を基準として受信レベル比を計算しても良い。第一のアンテナ１を基準とした場合は、受信レベル比は１より大きな値となる。すなわち第二のアンテナ２を基準とした場合に第一の所定範囲＝１／２以下ということは、第一のアンテナ１を基準にした場合は、第一の所定範囲＝２以上ということである。
【００５０】
（実施の形態２）
図２は本発明の第２の実施の形態における錠制御装置或いは錠制御システムのブロック図を示すものである。
【００５１】
図１（第１の実施の形態）と異なる点は、第一の受信機３及び第二の受信機４の代わりに第三の受信機１２を用いている点である。第三の受信機１２は、第一のアンテナ１の電波を受信するか、或いは第二のアンテナ２の電波を受信するかを切り替える切り替え手段（図示しない）を有している。そして待機状態では第一のアンテナ１或いは第二のアンテナ２のうちのどちらか一方を受信するように切り替えられている。例えば待機状態において第二のアンテナ２に第三の受信機１２は接続されているとする。
【００５２】
第三の受信機１２において送信機１１からの識別コードを受信すると、受信レベル比較手段５にその情報を出力すると共に、第三の受信機１２に内蔵する前記アンテナ切り替え手段により第三の受信機１２に接続されるアンテナを第一のアンテナ１に切り替える。そして第一のアンテナ１で送信機１１からの電波を受信し、その情報を受信レベル比較手段５に出力する。
【００５３】
受信レベル比較手段５及び判定手段６以下の動作については、図１に示す第１の実施の形態と同じであるので詳細な説明は省略する。
【００５４】
図２に示す第２の実施の形態を用いることにより、第一の受信機３と第二の受信機４の二つの受信機が、第三の受信機１２の一つの受信機で構成でき、コストダウンを図ることができる。
【００５５】
（実施の形態３）
図３は本発明の第３の実施の形態における錠制御装置或いは錠制御システムのブロック図を示すものである。
【００５６】
図１（第１の実施の形態）と異なる点は、第一の受信機３及び第二の受信機４の代わりに、第四の受信機１３と第五の受信機１４を用い、第一のアンテナ１で受信した受信レベル情報を第四の受信機１３を介して第一のアンテナ１から無線送信し、第二のアンテナ２で受信して、第五の受信機１４を介して前記受信レベル情報を受信レベル比較手段５に出力する構成とした点である。
【００５７】
以下詳細にその動作を説明する。送信機１１からの識別コードは、第一のアンテナ１及び第二のアンテナ２で受信される。第二のアンテナ２で受信された信号は、第五の受信機１４で送信機１１からの識別コードであると判別され、その情報は受信レベル比較手段５に出力される。
【００５８】
一方、第一のアンテナ１で受信された信号は、第四の受信機１３で送信機１１からの識別コードであると判別され受信レベルが計測される。そして計測された前記受信レベル情報は第四の受信機１３に内蔵される送信手段（図示しない）により、第一のアンテナ１から電波として放射される。第一のアンテナ１から電波として放射された前記電波は、第二のアンテナ２で受信され、第四の受信機１３からの前記受信レベル情報を含む電波であることが第五の受信機１３で判別され、前記受信レベル情報が受信レベル比較手段５に出力される。
【００５９】
すなわち、受信レベル比較手段５には、送信機１１から放射された電波が、第一のアンテナ１で受信された受信レベルと、第二のアンテナ２で受信された受信レベルの両方の情報が入力されることになる。
【００６０】
受信レベル比較手段５及び判定手段６以下の動作については、図１に示す第１の実施の形態と同じであるので詳細な説明は省略する。
【００６１】
図３に示す第３の実施の形態を用いることにより、第一のアンテナ１の設置場所を自由に選ぶことができる。そのため、第一のアンテナ１と第二のアンテナ２の間の距離を大きく選ぶことができ、送信機１１が設定された範囲内までドア８に近づいたことをより正確に識別できる。
【００６２】
なお、図１或いは図２或いは図３において、ドア８に操作キー（図示しない）を設け、前記操作キーを人が操作した場合に第二のアンテナ２或いは第一のアンテナ１を介して電波を放射する送信手段（図示しない）を設けた構成にしても良い。このように構成した場合には、送信機１１は定期的に識別コードを無線送信する必要はない。すなわち、人が前記操作キーを操作した時、第一のアンテナ１或いは第二のアンテナ２から電波が放射され、前記電波を送信機１１が受信し、前記操作キーが操作されたことを識別する。
【００６３】
前記電波には前記操作キーが操作されたことを示す識別コードが含まれている。送信機１１はこの電波を受信すると、送信機１１を識別するための識別コードを含んだ信号を電波として放射する。このように送信機１１は定期的に電波を放射する必要がないため、電池の消耗を防ぐことができる。
【００６４】
また上記の説明において開錠の場合を説明したが、送信機１１を所有する人がドア８から離れていく場合の施錠については、上記説明した開錠の条件を満たさなくなった時に施錠を行えばよい。
【００６５】
上記の説明において、送信機１１が屋外にある場合について説明したが、送信機１１が屋内にある場合は、上記説明において第一のアンテナ１の受信レベルと第二のアンテナ２の受信レベルの受信レベル比が所定レベル以上大きくなったら、開錠とすればよい。そして前記受信レベル比が１より大きいか小さいかにより送信機１１が屋外にあるのか、屋内にあるのかを判別できる。
【００６６】
送信機１１が屋内にある場合と、屋外にある場合で、上記説明における第一の所定範囲と、第二の所定値の値を切り替えるように構成することも可能である。例えば、送信機１１が屋内にある場合には、第一の所定範囲或いは第二の所定値を変えて、開錠するためのドア８と送信機１１の距離を屋外より短くすることができる。またその逆に、送信機１１が屋外にある場合に、開錠するためのドア８と送信機１１の距離を屋内より短くすることもできる。
【００６７】
あるいはまた、第一または第二のアンテナの受信レベルの絶対値情報によって第一の所定範囲或いは第二の所定値を変えてもよい。
【００６８】
なお、図１或いは図２或いは図３において、第一のアンテナ１と第二のアンテナ２の間には家の外壁がある。そのため、この外壁による電波の減衰を考慮して第一の所定範囲あるいは第二の所定値を設定する。
【００６９】
また、第一のアンテナ１と第二のアンテナ２を共に屋内或いは屋外に設置してもかまわない。
【００７０】
また、図３において、第四の受信機１３はインターネットや公衆回線と接続され、屋外から携帯電話などを用いて電子錠９の施錠、開錠の制御や、施錠状態を確認できる機能を有していても良い。もちろん第四の受信機１３に接続される表示手段により屋内において電子錠９の施錠、開錠の制御や、施錠状態を確認できる機能を有していても良い。
【００７１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００７２】
以上のように本発明にかかる錠制御装置、錠制御システム及びプログラムは、誤動作の少ない、かつセキュリティの高いスマートキーシステムを構築できる。
【図面の簡単な説明】
【００７３】
【図１】本発明の実施の形態１における錠制御装置及びシステムのブロック図
【図２】本発明の実施の形態２における錠制御装置及びシステムのブロック図
【図３】本発明の実施の形態３における錠制御装置及びシステムのブロック図
【図４】本発明の実施の形態１、２、３における錠制御装置及びシステムにおいて距離と受信レベルを説明する図
【図５】本発明の実施の形態１、２、３における錠制御装置及びシステムにおいて距離と受信レベルを説明する図
【図６】従来の錠制御装置及びシステムのブロック図
【符号の説明】
【００７４】
１  第一のアンテナ
２  第二のアンテナ
３  第一の受信機
４  第二の受信機
５  受信レベル比較手段
６  判定手段
７  アクチュエータ
８  ドア
９  鍵
１０  送信機アンテナ
１１  送信機
１２  第三の受信機
１３  第四の受信機
１４  第五の受信機
【図１】
2006219925.tif 000003
【図２】
2006219925.tif 000004
【図３】
2006219925.tif 000005
【図４】
2006219925.tif 000006
【図５】
2006219925.tif 000007
【図６】
2006219925.tif 000008